【手続補正書】
【提出日】令和3年1月12日(2021.1.12)
【手続補正１】
【補正対象書類名】特許請求の範囲
【補正対象項目名】全文
【補正方法】変更
【補正の内容】
【特許請求の範囲】
【請求項１】
ファン軸心（ＣＬ）の軸方向（ＤＲａ）の一方側から吸い込んだ空気を径方向（ＤＲｒ）外側に吹き出す遠心ファンであって、
前記ファン軸心の周りに配置された複数の第１ブレード（１１）と、
前記ファン軸心の周りに配置されて前記複数の第１ブレードに対して前記軸方向の他方側に位置する複数の第２ブレード（１２）と、
前記ファン軸心を中心とするリング状に形成されて前記複数の第１ブレードの前記軸方向の一方側に位置する部位を支持する側板（１４）と、
前記複数の第２ブレードの前記軸方向の他方側に位置する部位を支持する主板（１３）と、
前記複数の第１ブレードと前記複数の第２ブレードとを接続するとともに前記複数の第１ブレードの相互間に形成される第１翼通路（１１０）を流れる空気と前記複数の第２ブレードの相互間に形成される第２翼通路（１２０）を流れる空気との混合を抑える分離板（１５）と、を備え、
前記複数の第１ブレードおよび前記複数の第２ブレードは、それぞれが直に接することなく前記分離板を介して接続されており、
前記複数の第１ブレードの前縁部（１１１）において最も小さい内径寸法を第１前縁径（Ｄｂｉ１）、前記複数の第１ブレードの後縁部（１１２）において最も小さい外径寸法を第１後縁径（Ｄｂｏ１）、前記複数の第２ブレードの前縁部（１２１）において最も大きい内径寸法を第２前縁径（Ｄｂｉ２）、前記複数の第２ブレードの後縁部（１２２）において最も大きい外径寸法を第２後縁径（Ｄｂｏ２）、前記側板において最も小さい内径寸法を側板内径（Ｄｓｐ）、前記主板において最も大きい外径寸法を主板外径（Ｄｂｐ）、前記分離板において最も小さい内径寸法を分離板内径（Ｄｍｐ２）、前記分離板において最も大きい外径寸法を分離板外径（Ｄｍｐ１）としたとき、
前記複数の第１ブレードの前縁部および後縁部は、前記軸方向の他方側における径寸法が前記軸方向の一方側における径寸法以下になっており、
前記複数の第２ブレードの前縁部および後縁部は、前記軸方向の他方側の径寸法が前記軸方向の一方側の径寸法以下になっており、
前記分離板は、前記分離板内径が前記主板外径以上であって前記第２前縁径以上、且つ、前記第１前縁径以下であり、前記分離板外径が前記側板内径以下であって前記第２後縁径以上、且つ、前記第１後縁径以下であり、
前記複数の第２ブレードは、前縁部の内径寸法が前記軸方向の一方側から他方側に向かって小さくなっており、前記複数の第２ブレードの前縁部における前記軸方向の他方側の端部における内径寸法が前記主板外径よりも小さくなっており、前記複数の第２ブレードの前縁部の全体が軸方向に対して交差する方向に沿って直線状に延びている、遠心ファン。
【請求項２】
前記ファン軸心に対する前記複数の第２ブレードの子午面上の内周縁部の傾斜角度を子午面角度とし、前記ファン軸心に対する前記主板の法線ベクトルの傾斜角度を主板法線角度としたとき、
前記複数の第２ブレードは、前記子午面角度が、前記主板法線角度から前記ファン軸心に対して垂直となる角度までの範囲に設定されている請求項１に記載の遠心ファン。
【請求項３】
前記複数の第２ブレードは、前記第２後縁径が前記第１後縁径と一致するように構成されている請求項１または２に記載の遠心ファン。
【請求項４】
前記複数の第２ブレードは、前記複数の第２ブレードの後縁部が、前記複数の第１ブレードの後縁部の位置に対して前記ファン軸心の周方向にずれた位置に設定されている請求項１ないし３のいずれか１つに記載の遠心ファン。
【請求項５】
遠心送風機であって、
ファン軸心（ＣＬ）の軸方向（ＤＲａ）の一方側から吸い込んだ空気を径方向（ＤＲｒ）外側に吹き出す遠心ファン（１０）と、
前記遠心ファンを収容し、前記遠心ファンに対し前記軸方向の一方側に前記遠心ファンへ吸い込まれる空気が通過する吸入口（３１）が形成されたファンケーシング（３０）と、
前記遠心ファンの径方向の内側に配置される筒状の部位を含み、前記吸入口を通過する空気を前記筒状の部位の内側を流れる内側空気と前記筒状の部位の外側を流れる外側空気とに分離する分離筒（５０）と、を備え、
前記遠心ファンは、
前記ファン軸心の周りに配置された複数の第１ブレード（１１）と、
前記ファン軸心の周りに配置されて前記複数の第１ブレードに対して前記軸方向の他方側に位置する複数の第２ブレード（１２）と、
前記ファン軸心を中心とするリング状に形成されて前記複数の第１ブレードの前記軸方向の一方側を支持する側板（１４）と、
前記複数の第２ブレードの前記軸方向の他方側を支持する主板（１３）と、
前記複数の第１ブレードと前記複数の第２ブレードとを接続するとともに前記複数の第１ブレードの相互間に形成される第１翼通路（１１０）を流れる空気と前記複数の第２ブレードの相互間に形成される第２翼通路（１２０）を流れる空気との混合を抑える分離板（１５）と、を含んで構成され、
前記複数の第１ブレードおよび前記複数の第２ブレードは、それぞれが直に接することなく前記分離板を介して接続されており、
前記複数の第１ブレードの前縁部（１１１）において最も小さい内径寸法を第１前縁径（Ｄｂｉ１）、前記複数の第１ブレードの後縁部（１１２）において最も小さい外径寸法を第１後縁径（Ｄｂｏ１）、前記複数の第２ブレードの前縁部（１２１）において最も大きい内径寸法を第２前縁径（Ｄｂｉ２）、前記複数の第２ブレードの後縁部（１２２）において最も大きい外径寸法を第２後縁径（Ｄｂｏ２）、前記側板において最も小さい内径寸法を側板内径（Ｄｓｐ）、前記主板において最も大きい外径寸法を主板外径（Ｄｂｐ）、前記分離板において最も小さい内径寸法を分離板内径（Ｄｍｐ２）、前記分離板において最も大きい外径寸法を分離板外径（Ｄｍｐ１）としたとき、
前記複数の第１ブレードの前縁部および後縁部は、前記軸方向の他方側における径寸法が前記軸方向の一方側における径寸法以下になっており、
前記複数の第２ブレードの前縁部および後縁部は、前記軸方向の他方側の径寸法が前記軸方向の一方側の径寸法以下になっており、
前記分離板は、
前記分離板内径が前記主板外径以上であって前記第２前縁径以上、且つ、前記第１前縁径以下であり、
前記分離板外径が前記側板内径以下であって前記第２後縁径以上、且つ、前記第１後縁径以下であり、
前記複数の第２ブレードは、前縁部の内径寸法が前記軸方向の一方側から他方側に向かって小さくなっており、前記複数の第２ブレードの前縁部における前記軸方向の他方側の端部における内径寸法が前記主板外径よりも小さくなっており、前記複数の第２ブレードの前縁部の全体が軸方向に対して交差する方向に沿って直線状に延びている、遠心送風機。
【手続補正２】
【補正対象書類名】明細書
【補正対象項目名】００１０
【補正方法】変更
【補正の内容】
【００１０】
請求項５に記載の発明は、遠心ファン（１０）と、遠心ファンを収容するファンケーシング（３０）と、遠心ファンの径方向の内側に配置される分離筒（５０）と、を備える遠心送風機を対象としている。
【手続補正３】
【補正対象書類名】明細書
【補正対象項目名】００１１
【補正方法】変更
【補正の内容】
【００１１】
請求項１および請求項５に記載の遠心ファンは、
ファン軸心の周りに配置された複数の第１ブレード（１１）と、
ファン軸心の周りに配置されて複数の第１ブレードに対して軸方向の他方側に位置する複数の第２ブレード（１２）と、
ファン軸心を中心とするリング状に形成されて複数の第１ブレードの軸方向の一方側に位置する部位を支持する側板（１４）と、
複数の第２ブレードの軸方向の他方側に位置する部位を支持する主板（１３）と、
複数の第１ブレードと複数の第２ブレードとを接続するとともに複数の第１ブレードの相互間に形成される第１翼通路（１１０）を流れる空気と複数の第２ブレードの相互間に形成される第２翼通路（１２０）を流れる空気との混合を抑える分離板（１５）と、を備え、
複数の第１ブレードおよび複数の第２ブレードは、それぞれが直に接することなく分離板を介して接続されており、
複数の第１ブレードの前縁部（１１１）において最も小さい内径寸法を第１前縁径（Ｄｂｉ１）、複数の第１ブレードの後縁部（１１２）において最も小さい外径寸法を第１後縁径（Ｄｂｏ１）、複数の第２ブレードの前縁部（１２１）において最も大きい内径寸法を第２前縁径（Ｄｂｉ２）、複数の第２ブレードの後縁部（１２２）において最も大きい外径寸法を第２後縁径（Ｄｂｏ２）、側板において最も小さい内径寸法を側板内径（Ｄｓｐ）、主板において最も大きい外径寸法を主板外径（Ｄｂｐ）、分離板において最も小さい内径寸法を分離板内径（Ｄｍｐ２）、分離板において最も大きい外径寸法を分離板外径（Ｄｍｐ１）としたとき、
複数の第１ブレードの前縁部および後縁部は、軸方向の他方側における径寸法が軸方向の一方側における径寸法以下になっており、
複数の第２ブレードの前縁部および後縁部は、軸方向の他方側の径寸法が軸方向の一方側の径寸法以下になっており、
分離板は、分離板内径が主板外径以上であって第２前縁径以上、且つ、第１前縁径以下であり、分離板外径が側板内径以下であって第２後縁径以上、且つ、第１後縁径以下になっている。さらに、複数の第２ブレードは、前縁部の内径寸法が軸方向の一方側から他方側に向かって小さくなっており、複数の第２ブレードの前縁部における軸方向の他方側の端部における内径寸法が主板外径よりも小さくなっており、複数の第２ブレードの前縁部の全体が軸方向に対して交差する方向に沿って直線状に延びている。